(57)【特許請求の範囲】
【請求項１】
先頭に無音区間を含むオーディオコンテンツが複数記録されている第１の情報記録媒体から、連続して再生される第１のオーディオコンテンツと第２のオーディオコンテンツを第２の情報記録媒体へ記録する記録装置であって、
前記第１の情報記録媒体から、前記第１のオーディオコンテンツを先頭の無音区間の終端から読出し、前記第２のオーディオコンテンツを先頭の無音区間から読出す読出し部と、
前記第１のオーディオコンテンツのオーディオ属性と前記第２のオーディオコンテンツのオーディオ属性を検出し、それぞれのオーディオ属性が一致するか否かを判定する検出部と、
それぞれのオーディオ属性が一致しない場合には、前記第２のオーディオコンテンツの先頭の無音区間のオーディオ属性を前記第１のオーディオコンテンツのオーディオ情報のオーディオ属性に変換する変換部と、
前記第２のオーディオコンテンツの先頭の無音区間を前記第１のオーディオコンテンツの末尾として第２の情報記録媒体に記録する記録部と
を備える、記録装置。
【請求項２】
前記第２のオーディオコンテンツの少なくとも一部を格納するメモリバッファ部をさらに備える、請求項１に記載の記録装置。
【請求項３】
前記オーディオ属性は、サンプリング周波数、量子化ビット数、チャネル数、コーディング方式の内の少なくとも１つを示す、請求項１に記載の記録装置。
【請求項４】
前記第２の情報記録媒体は、書換え型情報記録媒体または追記型情報記録媒体である、請求項１に記載の記録装置。
【請求項５】
先頭に無音区間を含むオーディオコンテンツが複数記録されている第１の情報記録媒体から、連続して再生される第１のオーディオコンテンツと第２のオーディオコンテンツを第２の情報記録媒体へ記録する記録方法であって、
前記第１の情報記録媒体から、前記第１のオーディオコンテンツを先頭の無音区間の終端から読出し、前記第２のオーディオコンテンツを先頭の無音区間から読出すステップと、
前記第１のオーディオコンテンツのオーディオ属性と前記第２のオーディオコンテンツのオーディオ属性を検出し、それぞれのオーディオ属性が一致するか否かを判定するステップと、
それぞれのオーディオ属性が一致しない場合には、前記第２のオーディオコンテンツの先頭の無音区間のオーディオ属性を前記第１のオーディオコンテンツのオーディオ情報のオーディオ属性に変換するステップと、
前記第２のオーディオコンテンツの先頭の無音区間を前記第１のオーディオコンテンツの末尾として第２の情報記録媒体に記録するステップと
を包含する、記録方法。
【請求項６】
前記第２オーディオコンテンツの少なくとも一部を格納するステップをさらに包含する、請求項５に記載の記録方法。
【請求項７】
前記オーディオ属性は、サンプリング周波数、量子化ビット数、チャネル数、コーディング方式の内の少なくとも１つを示す、請求項５に記載の記録方法。
【請求項８】
前記第２の情報記録媒体は、書換え型情報記録媒体または追記型情報記録媒体である、請求項５に記載の記録方法。
【発明の詳細な説明】
【０００１】
【発明の属する技術分野】
本発明は、オーディオ属性の異なる複数のオーディオ情報が記録可能な書換え型または追記型情報記録媒体にオーディオ情報を記録する記録装置および記録方法に関する。
【０００２】
【従来の技術】
従来、コンパクトディスク（ＣＤ）には、曲間を示すためにインデックス０と呼ばれる数秒間の無音情報がそれぞれの曲の先頭に設けられていた。しかしながら、ミニディスク（ＭＤ）の場合には、ＣＤのインデックス０に相当するような区間が規格として定義されていない。
【０００３】
ＣＤに記録されている曲をＭＤへ記録する場合について、図１および図２を参照して説明する。ここで曲とは、少なくともオーディオコンテンツを含むオーディオ情報を意味する。好ましくは、曲はオーディオコンテンツとオーディオコンテンツの先頭または末尾のいずれかに隣接する曲間情報を含むオーディオ情報である。曲間情報は曲と曲との区切りを示し、通常はインデックス０に含まれ得る。
【０００４】
ＣＤに記録された曲をＭＤへ記録する場合、まず、ユーザは記録したいＣＤに記録された曲（すなわち、図１に示す曲１２および１３）をリモコン等で選択する。次に、ユーザが記録開始の命令をリモコン等で記録装置に指示すると、多くの記録装置の光ピックアップは、曲１２が含むインデックス０の終端部にレーザ光を移動させて、曲１２と曲１３とのオーディオ情報の読み取りを開始する。この場合、曲１２のインデックス０の曲間情報は読み取られず、曲１２のオーディオコンテンツ１４と曲１３のインデックス０とオーディオコンテンツ１５のみが読み取られて、ＭＤに記録される。この際、多くの記録装置は、図２に示すように、曲１３のインデックス０に含まれる曲間情報を曲２１の末尾に記録している。このように、ＣＤに記録されている曲をＭＤへ記録する場合、ＣＤに記録されているインデックス０に位置する無音情報は、曲の一部として前に位置する曲の末尾に記録されることが多い。
【０００５】
ところで、デジタル多用途ディスク（ＤＶＤ）のアプリケーション規格として、ＤＶＤ−Ａｕｄｉｏ規格が既に開発されている。ＤＶＤ−Ａｕｄｉｏでは、さまざまなオーディオ属性を有するオーディオコンテンツの記録が許可されている。例えば、サンプリング周波数としては４４．１ｋＨｚ、４８ｋＨｚ、８８．２ｋＨｚ、９６ｋＨｚ、１７６．４ｋＨｚ、１９２ｋＨｚが、量子化ビット数としては１６ビット、２０ビット、２４ビットがサポートされるようになっている。このため、ＤＶＤ−Ａｕｄｉｏ規格に準拠すれば、一つの情報記録媒体に異なるオーディオ属性を有する複数の曲を記録することが可能となる。ＤＶＤ−Ａｕｄｉｏ規格にも、ＣＤと同様に曲間を示すためのインデックス０と呼ばれる無音情報を定義できるようになっている。
【０００６】
また、高密度な書換え型あるいは追記型情報記録媒体として、ＤＶＤ−Ｒ、ＤＶＤ−ＲＡＭあるいはＤＶＤ−ＲＷディスクが既に開発されている。ＤＶＤ−Ｒ、ＤＶＤ−ＲＡＭあるいはＤＶＤ−ＲＷディスクを使用すれば、バックアップ等の目的のために、ＤＶＤ−Ａｕｄｉｏ準拠のオーディオコンテンツをＤＶＤ−Ｒ、ＤＶＤ−ＲＡＭあるいはＤＶＤ−ＲＷディスクに記録することが可能となる。
【０００７】
【発明が解決しようとする課題】
オーディオコンテンツの書換え型あるいは追記型の情報記録媒体への記録としては、ＤＶＤ−ＡｕｄｉｏディスクまたはＣＤなどのパッケージメディアからのオーディオコンテンツの記録が考えられる。以下、ＤＶＤ−ＡｕｄｉｏディスクおよびＣＤから情報記録媒体へのオーディオコンテンツの記録と情報記録媒体に記録されたオーディオコンテンツの再生に関する問題点を以下に説明する。
【０００８】
まず、ＤＶＤ−Ａｕｄｉｏディスクからのオーディオコンテンツの記録とその再生について説明する。図３を参照して、ＣＤからＭＤへの記録と同様の手法を用いたＤＶＤ−Ａｕｄｉｏディスクから情報記録媒体５５へのオーディオコンテンツ３６およびオーディオコンテンツ３７の記録を説明する。ＤＶＤ−Ａｕｄｉｏ規格に従えば、異なるオーディオ属性を有する複数の曲が一つのディスクに混在する可能性がある、ここでは、図３に示すように、ＤＶＤ−Ａｕｄｉｏディスクには、それぞれオーディオ属性の異なった曲３１、３２および３３が記録されているとする。ここで、曲３２および３３を情報記録媒体に記録する場合、ＣＤからＭＤへの記録と同手法を用いると、曲３３が含むインデックス０の曲間情報は曲３４の一部として、曲３４の末尾に記録されることになる。この時、曲３４のオーディオコンテンツ３６のサンプリング周波数は９６ｋＨｚであるが、曲３４の末尾に記録された曲間情報３８のサンプリング周波数は４８ｋＨｚとなり、曲３４内に複数のオーディオ属性が混在することになる。この状態で、曲３４を再生した場合、オーディオ属性が変化する位置において、再生装置の再生条件をオーディオ属性の変化に適合するように変更しなければいけない。このため、再生装置によっては、オーディオ属性の変化に対応できず、曲３４の再生中にミュートまたは異音が発生するという問題が起こる。また、曲の検索によって曲３５から再生を開始する場合、光ピックアップは曲３５の先頭にジャンプして再生を開始する。この時、曲３５のオーディオ属性が曲３５の前に再生していた曲のオーディオ属性と異なっていれば、再生装置は曲３５のオーディオ属性に合うように再生条件を変更しなければいけない。このため、再生装置によっては、再生条件を変更している間にミュートや異音が発生し、曲３５の先頭部分が正しく再生されないという問題がある。
【０００９】
また、ＤＶＤ−Ａｕｄｉｏディスクに記録されているインデックス０は、曲間を示すという意味を含んでおり、ＤＶＤ−Ａｕｄｉｏディスクに記録されている曲のコピーにおいては、情報記録媒体５５に記録された曲の先頭に曲間を示す情報を記録することが望ましい。
【００１０】
ところで、ＤＶＤ−Ａｕｄｉｏディスクに記録されている曲を情報記録媒体に記録する場合、再生装置が曲の再生を開始すれば、記録装置が再生装置で読み取ったオーディオ情報を自動的に記録し始めるという記録方法がある。この場合、多くの再生装置の光ピックアップは、曲を再生するときに曲の先頭に含まれているインデックス０の終端部にレーザ光を移動させてから曲を再生する。このとき、インデックス０の曲間情報が情報記録媒体５５に記録されない。図４を参照して、ＤＶＤ−Ａｕｄｉｏディスクに記録されている曲４２および４４の情報記録媒体５５への記録を説明する。まず、光ピックアップが曲４２のインデックス０の終端部にレーザ光を移動して曲４２のオーディオコンテンツ４７を読み取り、読み取られたオーディオコンテンツ４７が情報記録媒体５５に記録される。曲４２の読み取りが終わると、光ピックアップは曲４４のインデックス０の終端部にレーザ光を移動させ、曲４４のオーディオコンテンツ４８を読み取る。同様にして、読み取られたオーディオコンテンツ４８が情報記録媒体５５に記録される。曲４５と曲４６とのオーディオ属性が異なるため、情報記録媒体５５に記録された曲４５および４６を連続再生した場合、曲４５の再生が終了して曲４６の再生を開始するときに再生装置の再生条件を曲４６のオーディオ属性に合うように変更する必要がある。このため、再生装置によっては、曲４６の先頭部分でミュートや異音が発生する可能性があり、曲４６の先頭部分が正しく再生されないという問題が起こってしまう。また、ソースとなる元のＤＶＤ−Ａｕｄｉｏディスクに記録されていた無音情報を示すインデックス０の曲間情報が記録されないため、コピーによって曲間を示す情報が欠落してしまうという問題も起こる。
【００１１】
次に、ＣＤからの情報記録媒体への情報の記録とその再生について説明する。ＣＤに記録されている曲のオーディオ属性は一様であるため、ＣＤに記録されている曲をオーディオ属性を変更せずに情報記録媒体に記録すれば、１曲中または１つの情報記録媒体中に異なるオーディオ属性が混在するという問題は起こらない。しかしながら、長時間記録のために圧縮コーディングを用いたりして、オーディオ属性を変更した曲を情報記録媒体に記録した場合、オーディオ属性の異なる曲が１つの情報記録媒体に混在してしまう。複数曲の連続再生や曲の検索等によって特定の曲から再生を開始する際に、曲間に無音情報等の曲間情報が存在していなければ、再生する曲の先頭で曲のオーディオ属性に合うように再生装置の再生条件を変更する必要があるときに、再生装置によっては曲の先頭部分でミュートや異音が発生する。さらには、曲間を示す情報がコピーによって欠落してしまうという問題がある。
【００１２】
また、ＣＤから情報記録媒体への記録方法が、ＣＤからＭＤへの記録方法と同じ場合、無音情報を示すＣＤに記録されたインデックス０の曲間情報が、情報記録媒体に曲の一部として前の曲の末尾に記録されてしまう。このため、上記ＤＶＤ−Ａｕｄｉｏディスクからの情報の記録およびその再生で起こる問題と同様の問題が発生してしまう。
【００１３】
本発明は上記課題を解決するためになされ、再生する曲のオーディオ属性に合うように再生装置の再生条件を変更する時間を確保するために、情報記録媒体に曲間情報を記録する記録装置またはその記録方法を提供することを目的とする。さらに、原曲に記録されている曲間情報を情報記録媒体に記録するために、曲間情報を生成して情報記録媒体に記録する記録装置またはその記録方法を提供することを目的とする。
【００１４】
【課題を解決するための手段】
本発明の記録装置は、複数のオーディオ属性を有する複数のオーディオコンテンツが記録可能な情報記録媒体に第１オーディオコンテンツを記録する記録装置であって、記録媒体には第２オーディオコンテンツを含む第２オーディオ情報が記録されており、第１オーディオコンテンツは、第１オーディオコンテンツの先頭に隣接する無音情報とともに第１オーディオ情報に含まれており、記録装置は、第１オーディオ情報のオーディオ属性を検出し、第１オーディオ情報のオーディオ属性が第２オーディオ情報のオーディオ属性と一致するか否かを判定する検出部と、第１オーディオ情報の検出されたオーディオ属性が第２オーディオ情報のオーディオ属性と一致しない場合には、無音情報のオーディオ属性を第２オーディオ情報のオーディオ属性に変換する変換部と、無音情報を第２オーディオ情報の一部として第２オーディオコンテンツの末尾に隣接して記録媒体上に記録し、第１オーディオコンテンツを記録媒体上に記録する記録部とを備え、そのことにより、上記目的が達成される。
【００１５】
第１オーディオコンテンツの少なくとも一部を格納するメモリバッファ部をさらに備えてもよい。
【００１６】
オーディオ属性は、サンプリング周波数、量子化ビット数、チャネル数、コーディング方式の内の少なくとも１つを示してもよい。
【００１７】
情報記録媒体は、書換え型情報記録媒体または追記型情報記録媒体であってもよい。
【００１８】
本発明の記録装置は、複数のオーディオ属性を有する複数のオーディオコンテンツが記録可能な情報記録媒体にオーディオコンテンツを記録する記録装置であって、記録装置は、オーディオコンテンツのオーディオ属性を検出する検出部と、
オーディオコンテンツの少なくとも一部を格納するメモリバッファ部と、オーディオコンテンツの検出されたオーディオ属性と同じオーディオ属性のコンテンツ間情報を生成する生成部と、コンテンツ間情報をオーディオ情報の一部として記録媒体上に記録し、コンテンツ間情報の末尾に隣接してオーディオコンテンツをオーディオ情報の別の一部として記録媒体上に記録する記録部とを備え、そのことにより、上記目的が達成される。
【００１９】
コンテンツ間情報は無音情報であってもよい。
【００２０】
オーディオ属性は、サンプリング周波数、量子化ビット数、チャネル数、コーディング方式の内の少なくとも１つを示してもよい。
【００２１】
情報記録媒体は、書換え型情報記録媒体または追記型情報記録媒体であってもよい。
【００２２】
本発明の記録装置は、複数のオーディオ属性を有する複数のオーディオコンテンツが記録可能な情報記録媒体に、第２オーディオコンテンツを含む第２オーディオ情報に続けて第１オーディオコンテンツを記録する記録装置であって、記録装置は、第２オーディオ情報のオーディオ属性を検出する検出部と、第２オーディオ情報の検出されたオーディオ属性と同じオーディオ属性のコンテンツ間情報を生成する生成部と、コンテンツ間情報を第２オーディオ情報の一部として第２オーディオコンテンツの末尾に隣接して記録媒体上に記録し、第１オーディオコンテンツを記録媒体上に記録する記録部とを備え、そのことにより、上記目的が達成される。
【００２３】
コンテンツ間情報は無音情報であってもよい。
【００２４】
第１オーディオコンテンツの少なくとも一部を格納するメモリバッファ部をさらに備えてもよい。
【００２５】
オーディオ属性は、サンプリング周波数、量子化ビット数、チャネル数、コーディング方式の内の少なくとも１つを示してもよい。
【００２６】
情報記録媒体は、書換え型情報記録媒体または追記型情報記録媒体であってもよい。
【００２７】
本発明の記録方法は、複数のオーディオ属性を有する複数のオーディオコンテンツが記録可能な情報記録媒体に第１オーディオコンテンツを記録する記録方法であって、記録媒体には第２オーディオコンテンツを含む第２オーディオ情報が記録されており、第１オーディオコンテンツは、第１オーディオコンテンツの先頭に隣接する無音情報とともに第１オーディオ情報に含まれており、記録方法は、第１オーディオ情報のオーディオ属性を検出し、第１オーディオ情報のオーディオ属性が第２オーディオ情報のオーディオ属性と一致するか否かを判定するステップと、第１オーディオ情報の検出されたオーディオ属性が第２オーディオ情報のオーディオ属性と一致しない場合には、無音情報のオーディオ属性を第２オーディオ情報のオーディオ属性に変換するステップと、無音情報を第２オーディオ情報の一部として第２オーディオコンテンツの末尾に隣接して記録媒体上に記録し、第１オーディオコンテンツを記録媒体上に記録するステップとを包含し、そのことにより、上記目的が達成される。
【００２８】
第１オーディオコンテンツの少なくとも一部を格納するステップをさらに包含してもよい。
【００２９】
オーディオ属性は、サンプリング周波数、量子化ビット数、チャネル数、コーディング方式の内の少なくとも１つを示してもよい。
【００３０】
情報記録媒体は、書換え型情報記録媒体または追記型情報記録媒体であってもよい。
【００３１】
本発明の記録方法は、複数のオーディオ属性を有する複数のオーディオコンテンツが記録可能な情報記録媒体にオーディオコンテンツを記録する記録方法であって、記録方法は、オーディオコンテンツのオーディオ属性を検出するステップと、オーディオコンテンツの少なくとも一部を格納するステップと、オーディオコンテンツの検出されたオーディオ属性と同じオーディオ属性のコンテンツ間情報を生成するステップと、コンテンツ間情報をオーディオ情報の一部として記録媒体上に記録し、コンテンツ間情報の末尾に隣接してオーディオコンテンツをオーディオ情報の別の一部として記録媒体上に記録するステップとを包含し、そのことにより、上記目的が達成される。
【００３２】
コンテンツ間情報は無音情報であってもよい。
【００３３】
オーディオ属性は、サンプリング周波数、量子化ビット数、チャネル数、コーディング方式の内の少なくとも１つを示してもよい。
【００３４】
情報記録媒体は、書換え型情報記録媒体または追記型情報記録媒体であってもよい。
【００３５】
本発明の記録方法は、複数のオーディオ属性を有する複数のオーディオコンテンツが記録可能な情報記録媒体に、第２オーディオコンテンツを含む第２オーディオ情報に続けて第１オーディオコンテンツを記録する記録方法であって、記録方法は、第２オーディオ情報のオーディオ属性を検出するステップと、第２オーディオ情報の検出されたオーディオ属性と同じオーディオ属性のコンテンツ間情報を生成するステップと、コンテンツ間情報を第２オーディオ情報の一部として第２オーディオコンテンツの末尾に隣接して記録媒体上に記録し、第１オーディオコンテンツを記録媒体上に記録するステップとを包含し、そのことにより、上記目的が達成される。
【００３６】
コンテンツ間情報は無音情報であってもよい。
【００３７】
第１オーディオコンテンツの少なくとも一部を格納するステップをさらに包含してもよい。
【００３８】
オーディオ属性は、サンプリング周波数、量子化ビット数、チャネル数、コーディング方式の内の少なくとも１つを示してもよい。
【００３９】
情報記録媒体は、書換え型情報記録媒体または追記型情報記録媒体であってもよい。
【００４０】
また，上記課題を解決するために、本発明の記録装置は、オーディオ属性を変更するオーディオ属性変換部と、オーディオ属性を検出するオーディオ属性検出部と、メモリバッファ部と、コンテンツ間情報を生成するコンテンツ間情報生成部とを備える。本発明の記録装置は、入力されたコンテンツ間情報を必要に応じてオーディオ属性変換部でオーディオ属性を変更した後、情報記録媒体に記録する。また、コンテンツ間情報生成部でコンテンツ間情報を生成して、曲の先頭および末尾に挿入する。
【００４１】
上記課題を解決するために、本発明の記録方法では、ソースとなる情報記録媒体に記録されている無音情報を、必要に応じてオーディオ属性を変更した後、記録先となる情報記録媒体に記録する。また、ソースとなる情報記録媒体の無音情報を利用できない場合には、コンテンツ間情報を生成して曲の先頭または末尾に挿入する。
【００４２】
【発明の実施の形態】
以下、本発明の実施の形態について図面を参照して説明する。なお、本明細書中において曲とは、少なくともオーディオコンテンツを含むオーディオ情報を意味する。好ましくは、曲はオーディオコンテンツとオーディオコンテンツの先頭または末尾のいずれかに隣接するコンテンツ間情報を含むオーディオ情報である。また、本明細書中において、コンテンツ間情報は、上述した曲と曲との区切りを示す曲間情報を意味する。また、曲とはディスク規格上で論理的に１トラックとして編集されている区間に含まれるオーディオ情報のことを指してもよい。
【００４３】
オーディオコンテンツとは、曲として記録されるオーディオ情報に含まれる情報の内のコンテンツ間情報以外の情報を指し、再生される音楽情報等を含む。また、オーディオ属性はオーディオ情報が構成されている条件を示し、例えば、サンプリング周波数、量子化ビット数、チャネル数、オーディオ情報のデジタル記録方式（ＬｉｎｅａｒＰＣＭや圧縮方式等）の内の少なくとも１つを示す。また、曲として記録されるオーディオ情報は音楽情報に限らず、音声等の音の情報も含み得る。
【００４４】
（実施の形態１）
図５は、本発明の実施の形態１における記録装置１を示す。記録装置１は、複数のオーディオ属性を有する複数のオーディオ情報を情報記録媒体に記録する。本実施の形態では、記録装置１はコンテンツ間情報を曲の一部として曲の末尾に記録する。すなわち、記録装置１はコンテンツ間情報をオーディオコンテンツの末尾に隣接して記録する。記録装置１は、オーディオ属性を変換するオーディオ属性変換部５１と、オーディオ情報の少なくとも一部を格納するメモリバッファ部５２と、オーディオ属性を検出するオーディオ属性検出部５３と、オーディオ情報を情報記録媒体に記録する光へッド等の記録再生ヘッド部５４を備える。
【００４５】
図６Ａを参照して、記録装置１が曲６１および６２を情報記録媒体５５に曲６３および６４として記録する場合を説明する。記録しようとする曲６１および６２は例えばＤＶＤ−Ａｕｄｉｏディスクに記録されている。情報記録媒体５５は、複数のオーディオ属性を有する複数の曲を記録することが可能な書換え型あるいは追記型情報記録媒体である。任意の再生装置によって再生された曲６１を示すオーディオ情報に含まれるオーディオコンテンツ６５が入力信号５０として記録装置１に入力されると、オーディオコンテンツ６５がオーディオ属性変換部５１から出力される前に、オーディオ属性検出部５３はオーディオコンテンツ６５のオーディオ属性を検出する。この時、オーディオ属性検出部５３は、曲６１のオーディオ属性として９６ｋＨｚ、２４ｂｉｔというオーディオ属性を検出する。その後、オーディオコンテンツ６５が記録再生ヘッド部５４によって情報記録媒体５５に記録される。次に、曲６２が記録装置１に入力される。図６Ｂに示すフローチャートを参照して、まず、曲６２のインデックス０に含まれるコンテンツ間情報である無音情報６７が記録装置１に入力されると、無音情報６７のオーディオ属性をオーディオ属性検出部５３が検出し（Ｓ１０１）、先に検出したオーディオコンテンツ６５のオーディオ属性と比較を行う（Ｓ１０２）。この検出および比較動作の間、曲６２に含まれるオーディオコンテンツ６６はメモリバッファ部５２に一時的に格納され得る。この場合、無音情報６７のオーディオ属性として４８ｋＨｚ、２４ｂｉｔが検出され、オーディオ属性検出部５３は、先に検出されたオーディオコンテンツ６５のオーディオ属性とは異なっていることを判別する。このため、オーディオ属性変換部５１は、無音情報６７をオーディオコンテンツ６５と同じオーディオ属性（すなわち、９６ｋＨｚ、２４ｂｉｔ）を有する無音情報６８に変換する（Ｓ１０３）。記録再生ヘッド部５４は、無音情報６８を曲６３の一部として、オーディオコンテンツ６５の末尾に隣接させて情報記録媒体５５に記録する（Ｓ１０４）。曲６３は、同じオーディオ属性を有するオーディオコンテンツ６５と無音情報６８とを含む。次に、オーディオコンテンツ６６が曲６４として情報記録媒体５５に記録される（Ｓ１０５）。曲６４は再生時に曲６３の次に再生されるように情報記録媒体５５に記録される。
【００４６】
次に、オーディオコンテンツ６５を含む曲６３’が予め記録されている情報記録媒体５５に、オーディオコンテンツ６５に続けて無音情報６８とオーディオコンテンツ６６を記録する場合について説明する。この場合、記録再生ヘッド部５４は、情報記録媒体５５からオーディオコンテンツ６５を読み出し、オーディオ属性検出部５３は読み出されたオーディオコンテンツ６５のオーディオ属性（すなわち、９６ｋＨｚ、２４ｂｉｔ）を検出する。次に、上述したように曲６２のインデックス０に含まれる無音情報６７が記録装置１に入力されると、無音情報６７のオーディオ属性をオーディオ属性検出部５３が検出し、先に検出したオーディオコンテンツ６５のオーディオ属性と比較を行う。この検出および比較動作の間、曲６２に含まれるオーディオコンテンツ６６はメモリバッファ部５２に一時的に格納され得る。この場合、無音情報６７のオーディオ属性として４８ｋＨｚ、２４ｂｉｔが検出され、先に検出されたオーディオコンテンツ６５のオーディオ属性とは異なっていることが判明する。このため、オーディオ属性変換部５１は、無音情報６７をオーディオコンテンツ６５と同じオーディオ属性（すなわち、９６ｋＨｚ、２４ｂｉｔ）を有する無音情報６８に変換する。記録再生ヘッド部５４は、無音情報６８を曲６３の一部として、オーディオコンテンツ６５の末尾に隣接させて情報記録媒体５５に記録する。曲６３は、同じオーディオ属性を有するオーディオコンテンツ６５と無音情報６８とを含む。次に、オーディオコンテンツ６６が曲６４として情報記録媒体５５に記録される。曲６４は再生時に曲６３の次に再生されるように情報記録媒体５５に記録される。
【００４７】
なお、無音情報６７のオーディオ属性とオーディオコンテンツ６５のオーディオ属性とが同一である場合は、無音情報６７が変換されることなく曲６３の一部として、オーディオコンテンツ６５の末尾に隣接させて情報記録媒体５５に記録される。この場合、曲６３は同じオーディオ属性を有するオーディオコンテンツ６５と無音情報６７とを含む。
【００４８】
次に、図７を参照して、ＣＤまたはＤＶＤ−Ａｕｄｉｏディスクに記録された曲７１と曲７２のオーディオ属性が同じであるが、情報記録媒体５５に記録後の曲７３と曲７４とのオーディオ属性を異ならせる場合のオーディオ情報の記録について説明する。この場合、記録装置１に入力された曲７１に含まれるオーディオコンテンツ７５のオーディオ属性がオーディオ属性変換部５１で別のオーディオ属性に変換されることによりオーディオコンテンツ７５’が生成される。別のオーディオ属性に変換されたオーディオコンテンツ７５’が情報記録媒体５５に記録される前に、オーディオ属性検出部５３はオーディオコンテンツ７５’のオーディオ属性を検出する。例えば、オーディオ属性検出部５３は、オーディオコンテンツ７５’がＣｏｄｅｃＢという圧縮方式であるというオーディオ属性を検出する。次に、曲７２のインデックス０の無音情報７７がオーディオ属性変換部５１に入力されると、オーディオ属性検出部５３によって無音情報７７のオーディオ属性がＣｏｄｅｃＡという圧縮方式であることが検出される。この検出結果は、オーディオコンテンツ７５’のオーディオ属性とは異なっているため、オーディオ属性変換部５１は、無音情報７７をオーディオコンテンツ７５’ と同じオーディオ属性（すなわち、ＣｏｄｅｃＢ）を有する無音情報７８に変換する。記録再生ヘッド部５４は、無音情報７８を曲７３の一部としてオーディオコンテンツ７５’の末尾に隣接して情報記録媒体５５に記録する。曲７３は、同じオーディオ属性を有するオーディオコンテンツ７５’と無音情報７８とを含む。次に、オーディオコンテンツ７６が曲７４として情報記録媒体５５に記録される。曲７４は再生時に曲７３の次に再生されるように情報記録媒体５５に記録される。
【００４９】
本実施の形態によると、記録装置１が情報記録媒体５５に記録するためのコンテンツ間情報を新たに生成し、オーディオコンテンツの先頭または末尾に隣接して記録する必要はない。また、１つの曲中に複数の異なるオーディオ属性が混在することを避けることができる。
【００５０】
また、情報記録媒体５５がＤＶＤ−ＲＡＭ、ＤＶＤ−ＲＷまたはＤＶＤ−Ｒディスクであり、本発明の実施の形態の記録装置１が、ＤＶＤ−ＲＡＭ、ＤＶＤ−ＲＷまたはＤＶＤ−Ｒディスクにオーディオ情報を記録する場合について詳細に説明する。図８に示すように、ＤＶＤ−ＲＡＭ、ＤＶＤ−ＲＷおよびＤＶＤ−Ｒディスクは、オーディオ情報および静止画情報が記録されるオーディオ情報ファイル８２および静止画情報ファイル８３と、オーディオ情報および静止画情報の管理情報が記録される管理情報ファイル８１とを含む。さらに、管理情報ファイル８１は、図９に示すようなインデックスの先頭を示すためのポインタ情報９０を含む。インデックスとは１曲の中における論理的に分割された複数の領域の内の１つの領域を意味する。ポインタ情報９０は、ポインタ情報の種別９１とポインタの示す時刻（すなわち時間情報）９２とインデックス番号９３とを含む。本発明の実施の形態では、コンテンツ間情報の配置換えまたはコンテンツ間情報の生成に伴って、ポインタ情報９０の少なくとも一部はオーディオ属性変換部５１で変更または生成され得る。
【００５１】
なお、上記で説明したように、コンテンツ間情報が曲の一部として記録される場合、記録されたコンテンツ間情報は１つのインデックスとして記録される。この時、コンテンツ間情報が記録されているインデックスについての情報を示すポインタ情報９０は、ポインタ情報の種別９１としてはインデックスを示す識別子を、ポインタの示す時刻９２としては該当曲のオーディオコンテンツの再生終了時刻を、インデックス番号９３としては直前のインデックス番号に１を加算した値を含む。
【００５２】
また、本実施の形態の記録装置１では、オーディオ属性を検出するためにオーディオ属性検出部５３を用いた。しかし、記録装置１が記録しようとするオーディオ情報の管理情報ファイル８１を読み取ることができるならば、オーディオ属性検出部５３を省略しても管理情報ファイル８１に含まれているオーディオ属性から、その記録しようとするオーディオ情報のオーディオ属性を判別することも可能である。
【００５３】
（実施の形態２）
図１０は、本発明の実施の形態２における記録装置２を示す。記録装置２は、複数のオーディオ属性を有する複数のオーディオ情報を情報記録媒体に記録する。本実施の形態では記録装置２は、コンテンツ間情報を新たに生成して情報記録媒体５５に記録する。記録装置２は、オーディオ属性変換部５１と、メモリバッファ部５２と、オーディオ属性検出部５３と、記録再生ヘッド部５４と、コンテンツ間情報を生成するコンテンツ間情報生成部１０１と、スイッチ１０２と、少なくともオーディオ属性検出部５３とスイッチ１０２とを制御する制御部１０３とを備える。
【００５４】
図１０および図１１Ａ〜図１１Ｄを参照して、再生装置がＣＤやＤＶＤ−Ａｕｄｉｏディスク等からオーディオ情報を読み取り始めると、記録装置２が読み取られたオーディオ情報を自動的に情報記録媒体５５に記録し始める場合について説明する。
【００５５】
例えば、図１１Ａに示す曲１１２および曲１１４を曲１１５および曲１１６として情報記録媒体５５に記録する。図１１Ａおよび図１１Ｂを参照して、再生装置が曲１１２と曲１１４を再生する際、多くの再生装置は曲１１２および１１４のインデックス０部分を無視してオーディオコンテンツ１１７および１１８のみを再生する。このため、曲１１２のオーディオコンテンツ１１７が曲１１５として記録された後、曲１１４のオーディオコンテンツ１１８が記録装置２に入力されてくると、オーディオ属性検出部５３はオーディオコンテンツ１１８のオーディオ属性を検出して、オーディオコンテンツ１１８をメモリバッファ部５２でバッファリングしておく（Ｓ２０１、Ｓ２０２）。バッファリングしている間に、検出したオーディオコンテンツ１１８のオーディオ属性と同じオーディオ属性を有するコンテンツ間情報１１９をコンテンツ間情報生成部１０１で生成する（Ｓ２０３）。制御部１０３はスイッチ１０２をコンテンツ間情報生成部１０１側に接続し、コンテンツ間情報１１９が曲１１６の一部として情報記録媒体５５に記録される（Ｓ２０４）。コンテンツ間情報１１９の記録終了後、制御部１０３はスイッチ１０２をメモリバッファ部５２側に接続し、少なくとも一部がバッファリングされていたオーディオコンテンツ１１８は、コンテンツ間情報１１９の末尾に隣接して情報記録媒体５５に記録される（Ｓ２０５）。曲１１６は、再生時に曲１１５の次に再生されるように情報記憶媒体５５に記録され得る。図１０に示すように、記録装置２に入力される入力信号５０は、曲１１２および１１４のオーディオコンテンツ１１７および１１８と、オーディオコンテンツ１１７および１１８の制御情報１０４を示す。制御情報１０４は、オーディオコンテンツ１１７および１１８の開始ビット１０５、終了ビット１０６および無音情報の有無１０７等を示し得る。制御部１０３は、開始ビット１０５および終了ビット１０６からオーディオ属性検出部５３がオーディオ属性を検出するタイミングおよびスイッチ１０２の切り替えタイミングを判断し、オーディオ属性検出部５３およびスイッチ１０２にそれぞれのタイミングを指示する。これにより、オーディオ属性検出部５３およびスイッチ１０２は適切なタイミングで動作を行うことができる。
【００５６】
このようにして、コンテンツ間情報１１９とコンテンツ間情報１１９に隣接して記録されるオーディオコンテンツ１１８とを含むオーディオ情報（すなわち曲１１６）が生成されるようにコンテンツ間情報１１９とオーディオコンテンツ１１８とが情報記録媒体５５に記録される。
【００５７】
なお、コンテンツ間情報１１９のような本発明の実施の形態におけるコンテンツ間情報は無音情報であり得る。
【００５８】
なお、コンテンツ間情報１１９と同様に、曲１１５の先頭にもコンテンツ間情報１１９’が記録される。コンテンツ間情報１１９’はオーディオコンテンツ１１７のオーディオ属性と同じオーディオ属性を有する。
【００５９】
また、上述のようにコンテンツ間情報１１９が曲の先頭に記録される場合、記録されたコンテンツ間情報１１９は１つのインデックスとして記録される。この場合、コンテンツ間情報１１９が記録されているインデックスのポインタ情報（図９参照）は、ポインタ情報の種別９１としてインデックスを示す識別子と、ポインタの示す時刻９２としてコンテンツ間情報１１９の再生開始時刻と、インデックス番号９３としてゼロの値を含む。
【００６０】
上記の説明では、コンテンツ間情報を曲の先頭に記録する場合について述べた。次に、図１１Ｃおよび図１１Ｄを参照して、コンテンツ間情報を曲の末尾に記録する場合について説明する。図１１Ｃに示す例では、曲１１５’のオーディオコンテンツ１１７の末尾に隣接してコンテンツ間情報１１９”を記録する。記録装置２に入力されたオーディオコンテンツ１１７のオーディオ属性はオーディオ属性検出部５３で検出される（Ｓ３０１）。スイッチ１０２をメモリバッファ部５２側に接続し、オーディオコンテンツ１１７は情報記録媒体５５へ記録される。その後、検出されたオーディオコンテンツ１１７のオーディオ属性と同じオーディオ属性を有するコンテンツ間情報１１９”をコンテンツ間情報生成部１０１で生成し（Ｓ３０２）、スイッチ１０２をコンテンツ間情報生成部１０１側に接続して、コンテンツ間情報１１９”を先に記録したオーディオコンテンツ１１７の末尾に隣接して記録する（Ｓ３０３）。この時、コンテンツ間情報１１９”の記録が終了する前に、次曲の曲１１４のオーディオコンテンツ１１８の情報が入力されてきたとしても、コンテンツ間情報１１９”の記録が終了するまでは、オーディオコンテンツ１１８はメモリバッファ部５２にバッファリングされる。コンテンツ間情報１１９”の記録終了後、スイッチ１０２をメモリバッファ部５２側に接続することにより、バッファリングしておいたオーディオコンテンツ１１８が曲１１６’として記録される（Ｓ３０４）。曲１１６’は再生時に曲１１５’の次に再生されるように情報記録媒体５５に記録され得る。
【００６１】
なお、オーディオコンテンツ１１７を含む曲１１５’は予め情報記録媒体５５に記録されていてもよい。
【００６２】
また、曲１１５’に続いて曲１１６’が記録されず、曲１１５’を記録した時点で記録動作を終了する（例えば曲１１５’の１曲のみを記録する）場合でも、コンテンツ間情報１１９”を曲１１５’の末尾へ記録してもよい。
【００６３】
以上のようにして、既に情報記録媒体５５に記録されているオーディオコンテンツ１１７の末尾に隣接してコンテンツ間情報１１９”を記録し、オーディオコンテンツ１１７とコンテンツ間情報１１９”とを含むオーディオ情報（すなわち曲１１５’）を記録する。コンテンツ間情報１１９”は無音情報であり得る。
【００６４】
なお、曲１１５’が含むポインタ情報は、実施の形態１の場合と同様である。
【００６５】
本実施の形態によると、いかなる再生装置を利用したとしても、情報記録媒体５５には、曲のオーディオコンテンツだけではなく、コンテンツ間を示すコンテンツ間情報をも記録することができる。
【００６６】
また、本実施の形態の記録装置２では、オーディオ属性を検出するためにオーディオ属性検出部５３を用いた。しかし、記録装置２が記録される曲の管理情報ファイル８１を読み取ることができるならば、オーディオ属性検出部５３を省略しても管理情報ファイル８１に含まれているオーディオ情報のオーディオ属性から、そのオーディオ情報のオーディオ属性を判別することも可能である。
【００６７】
（実施の形態３）
本発明の実施の形態３として、記録しようとする曲にインデックス０が定義されていない場合の情報記録媒体５５への曲の記録について説明する。図１２Ａを参照して、記録しようとする曲１２１および１２２にはインデックス０が定義されていない。
【００６８】
まず、曲１２３および１２４の先頭にコンテンツ間情報１２７および１２８を挿入する場合について、図１０および図１２Ａを参照して説明する。例えば、図１０に示す記録装置２は、図１２Ａに示すように、曲１２１および１２２を曲１２３および１２４として情報記録媒体５５に記録する。
【００６９】
曲１２１のオーディオコンテンツ１２５の記録終了後、記録装置２に曲１２２のオーディオコンテンツ１２６が入力されると、オーディオ属性検出部５３はオーディオコンテンツ１２６のオーディオ属性を検出する。オーディオコンテンツ１２６の少なくとも一部はメモリバッファ部５２にバッファリングされる。バッファリングの間に、検出されたオーディオコンテンツ１２６のオーディオ属性と同じオーディオ属性を有するコンテンツ間情報１２８をコンテンツ間情報生成部１０１で生成し、スイッチ１０２をコンテンツ間情報生成部１０１側に接続して、コンテンツ間情報１２８を曲１２４の一部として情報記録媒体５５に記録する。コンテンツ間情報１２８の記録終了後、スイッチ１０２をメモリバッファ５２側に接続し、バッファリングしておいたオーディオコンテンツ１２６と、さらに入力されてくる残りのオーディオコンテンツ１２６とをコンテンツ間情報１２８に続けて記録し、コンテンツ間情報１２８とオーディオコンテンツ１２６とを含むオーディオ情報（すなわち、曲１２４）を生成する。曲１２４は、再生時に曲１２３の次に再生されるように情報記憶媒体５５に記録され得る。コンテンツ間情報１２８は無音情報であり得る。また、この場合のポインタ情報（図９参照）は、実施の形態２のコンテンツ間情報を曲の先頭に記録する場合と同様である。
【００７０】
なお、コンテンツ間情報１２８と同様に、曲１２３のオーディオコンテンツ１２５の先頭に隣接してコンテンツ間情報１２７が記録される。コンテンツ間情報１２７はオーディオコンテンツ１２５のオーディオ属性と同じオーディオ属性を有する。
【００７１】
次に、図１２Ｂを参照して、コンテンツ間情報をオーディオコンテンツの末尾に隣接させて記録する場合について説明する。図１２Ｂに示す例では、曲１２３’の末尾にに隣接してコンテンツ間情報１２７’を記録する。記録装置２に入力されたオーディオコンテンツ１２５のオーディオ属性はオーディオ属性検出部５３で検出される。スイッチ１０２をメモリバッファ部５２側に接続し、オーディオコンテンツ１２５は情報記録媒体５５へ記録される。その後、検出されたオーディオコンテンツ１２５のオーディオ属性と同じオーディオ属性を有するコンテンツ間情報１２７’をコンテンツ間情報生成部１０１で生成し、スイッチ１０２をコンテンツ間情報生成部１０１側に接続して、コンテンツ間情報１２７’をオーディオコンテンツ１２５の末尾に隣接して記録する。この時、コンテンツ間情報１２７’の記録が終了する前に、次曲の曲１２２のオーディオコンテンツ１２６が入力されてきたとしても、コンテンツ間情報１２７’の記録が終了するまでは、オーディオコンテンツ１２６はメモリバッファ部５２にバッファリングされる。コンテンツ間情報１２７’の記録終了後、スイッチ１０２をメモリバッファ部５２側に接続することにより、バッファリングしておいたオーディオコンテンツ１２６が曲１２４’として記録される。曲１２４’は再生時に曲１２３’の次に再生されるように情報記録媒体５５に記録され得る。
【００７２】
また、この場合のポインタ情報（図９参照）は、実施の形態１と同様になる。
【００７３】
本実施の形態では、記録しようとする原曲にコンテンツ間を示すコンテンツ間情報がない場合であったとしても、原曲の情報記録媒体５５への記録時には、オーディオコンテンツだけでなくコンテンツ間を示すコンテンツ間情報をも記録することができる。
【００７４】
また、本実施の形態において、記録装置２は、オーディオ属性検出部５３でオーディオ属性を検出した。しかし、記録装置２が記録されるオーディオ情報の管理情報ファイル８１を読み取ることができるならば、オーディオ属性検出部５３を省略しても管理情報ファイル８１に含まれているオーディオ情報のオーディオ属性から、そのオーディオ情報のオーディオ属性を判別することも可能である。
【００７５】
また、本発明において、情報記録媒体５５は光ディスク媒体に限定されず、複数のオーディオ属性を有する複数の曲を記録可能な記録媒体であればよく、例えばテープ状記録媒体、ハードディスク、半導体メモリ等であってもよい。
【００７６】
【発明の効果】
本発明によれば、記録しようとするオーディオコンテンツの先頭に隣接するコンテンツ間情報のオーディオ属性を、情報記録媒体に記録されているオーディオ情報と同一のオーディオ属性に変換し、変換したコンテンツ間情報を記録されているオーディオ情報の一部としてオーディオ情報が含むオーディオコンテンツの末尾に隣接して記録する記録装置が提供される。このことにより、オーディオ情報が含むオーディオコンテンツおよびコンテンツ間情報が１つのオーディオ属性に統一される。従って、このような本発明の記録装置でオーディオ情報が記録された情報記録媒体においては、情報記録媒体に記録されたオーディオ情報の再生中にミュートまたは異音が発生することがない。また、このような本発明の記録装置でオーディオコンテンツが記録された情報記録媒体においては、情報記録媒体に記録されたオーディオ属性が異なる複数のオーディオコンテンツを連続して再生する場合でも、オーディオ属性の変化に伴って再生装置が再生条件を変更する時間が確保される。従って、オーディオコンテンツの先頭の再生時にミュートや異音が発生してオーディオコンテンツの先頭が再生できないという問題が発生しない。
【００７７】
また、本発明によれば、記録しようとするオーディオコンテンツと同じオーディオ属性を有するコンテンツ間情報を生成し、生成したコンテンツ間情報をオーディオ情報の一部として記録し、記録しようとするオーディオコンテンツをオーディオ情報の別の一部としてコンテンツ間情報の末尾に隣接して記録する記録装置が提供される。このことにより、記録装置にコンテンツ間情報が入力されない記録条件下でも、コンテンツ間情報を生成して、オーディオコンテンツ間にコンテンツ間情報を記録することができる。このような本発明の記録装置でオーディオコンテンツが記録された情報記録媒体においては、情報記録媒体に記録されたオーディオ属性が異なる複数のオーディオコンテンツを連続して再生する場合でも、オーディオ属性の変化に伴って再生装置が再生条件を変更する時間が確保される。従って、オーディオコンテンツの先頭の再生時にミュートや異音が発生してオーディオコンテンツの先頭が再生できないという問題が発生しない。このように、本発明によれば、曲のダビング時に原曲が含むコンテンツ間情報が記録装置に入力されない記録条件下でも、オーディオコンテンツ間にコンテンツ間情報を記録することができる。本発明では、複数のオーディオ属性を有するオーディオコンテンツが記録される情報記録媒体において、記録しようとするオーディオコンテンツのオーディオ属性を検出し、情報記録媒体に記録可能な多数のオーディオ属性の中から記録しようとするオーディオコンテンツのオーディオ属性と同一のオーディオ属性のコンテンツ間情報を生成し、そのコンテンツ間情報を記録しようとするオーディオコンテンツの先頭に隣接して情報記録媒体に記録することができる。
【００７８】
また、本発明によれば、情報記録媒体に記録されているオーディオコンテンツを含むオーディオ情報と同一のオーディオ属性を有するコンテンツ間情報を生成して、コンテンツ間情報をオーディオ情報の一部としてオーディオコンテンツの末尾に隣接して記録し、別のオーディオ情報として別のオーディオコンテンツを記録する記録装置が提供される。このことにより、記録装置にコンテンツ間情報が入力されない記録条件下でも、コンテンツ間情報を生成して、オーディオコンテンツ間にコンテンツ間情報を記録することができる。このような本発明の記録装置でオーディオコンテンツが記録された情報記録媒体においては、情報記録媒体に記録されたオーディオ属性が異なる複数のオーディオコンテンツを連続して再生する場合でも、オーディオ属性の変化に伴って再生装置が再生条件を変更する時間が確保される。従って、オーディオコンテンツの先頭の再生時にミュートや異音が発生してオーディオコンテンツの先頭が再生できないという問題が発生しない。このように、本発明によれば、曲のダビング時に原曲が含むコンテンツ間情報が記録装置に入力されない記録条件下でも、オーディオコンテンツ間にコンテンツ間情報を記録することができる。
【図面の簡単な説明】
【図１】光ピックアップよるレーザ光の移動を示す図
【図２】ＣＤからＭＤへのオーディオ情報の記録を示す図
【図３】ＤＶＤ−Ａｕｄｉｏディスク中の連続した曲の記録を示す図
【図４】ＤＶＤ−Ａｕｄｉｏディスク中の連続していない曲の記録を示す図
【図５】本発明の実施の形態における記録装置を示す図
【図６Ａ】本発明の実施の形態における異なるオーディオ属性を有する複数曲の記録を示す図
【図６Ｂ】本発明の実施の形態における曲の記録を示すフローチャート
【図７】本発明の実施の形態における異なるオーディオ属性を有する複数曲の記録を示す図
【図８】本発明の実施の形態におけるディスクの論理構成を示す図
【図９】本発明の実施の形態におけるポインタ情報の論理構成を示す図
【図１０】本発明の実施の形態における記録装置を示す図
【図１１Ａ】本発明の実施の形態における指定曲の記録を示す図
【図１１Ｂ】本発明の実施の形態における指定曲の記録を示すフローチャート
【図１１Ｃ】本発明の実施の形態における指定曲の記録を示す図
【図１１Ｄ】本発明の実施の形態における指定曲の記録を示すフローチャート
【図１２Ａ】本発明の実施の形態における無音情報を有さない曲の記録を示す図
【図１２Ｂ】本発明の実施の形態における無音情報を有さない曲の記録を示す図
【符号の説明】
５１  オーディオ属性変換部
５２  メモリバッファ部
５３  オーディオ属性検出部
５４  記録再生ヘッド部
１０１  コンテンツ間情報生成部
１０２  スイッチ
１０３  制御部
【図１】
0003841396.tif 000002
【図２】
0003841396.tif 000003
【図３】
0003841396.tif 000004
【図４】
0003841396.tif 000005
【図５】
0003841396.tif 000006
【図６Ａ】
0003841396.tif 000007
【図６Ｂ】
0003841396.tif 000008
【図７】
0003841396.tif 000009
【図８】
0003841396.tif 000010
【図９】
0003841396.tif 000011
【図１０】
0003841396.tif 000012
【図１１Ａ】
0003841396.tif 000013
【図１１Ｂ】
0003841396.tif 000014
【図１１Ｃ】
0003841396.tif 000015
【図１１Ｄ】
0003841396.tif 000016
【図１２Ａ】
0003841396.tif 000017
【図１２Ｂ】
0003841396.tif 000018